(57)【要約】【課題】アース線と信号線のレイアウトを容易にすることが可能な遊技機を提供する。【解決手段】スロットマシンは、上部ＬＥＤ基板９１および側部ＬＥＤ基板９２に接続される信号線８１と、遊技者により帯電する虞がある導体であるスピーカカバー６１およびロゴマークの蒸着された金属に近接していることで耐電する虞があるスピーカ基板６２に設けられたアース線８２とを備える。互いに近接して略平行に配置される信号線８１とアース線８２との間に、遮蔽壁（隔壁８６）が設けられている。これにより、信号線８１に平行に近接したアース線８２によるノイズを抑制することができる。【選択図】図３
2018183470.tif 000002
【特許請求の範囲】
【請求項１】
各種電子部品に接続される信号線と、遊技者により帯電する虞がある導体に対応して設けられたアース線とを備える遊技機であって、
前記アース線のうちの少なくとも１つと前記信号線のうちの少なくとも１つとが互いに近接して略平行に配置され、互いに近接して略平行に配置される前記信号線と前記アース線との間に、遮蔽壁が設けられていることを特徴とする遊技機。
【発明の詳細な説明】
【技術分野】
【０００１】
本発明は、信号用およびアース用の配線を有する遊技機に関する。
【背景技術】
【０００２】
従来から外周面に図柄が配列された複数の回転リールを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の回転開始操作を契機として、内部抽選を行うとともに複数の回転リールの回転を開始させ、遊技者の停止操作を契機として、内部抽選の結果に応じた態様で複数の回転リールを停止させる制御を行っている。そして、遊技の結果は、複数の回転リールが停止した状態における入賞判定ライン（有効ライン）上に表示された図柄組合せによって判定され、遊技の結果に応じてメダル等の払い出しなどが行われる。すなわち、有効ライン上に内部抽選で当選した役に対応する図柄組合せで図柄が停止すると役が入賞したことになり、メダルの払い出しなどが行われる。
【０００３】
このようなスロットマシンでは、遊技者側となる前面側に設けられた前扉上部（上扉）の回転リールの表示窓を除く部分に、装飾のためにカラフルな透明樹脂が様々に造形され、背面からＬＥＤで照らされるランプが設けられている。また、このようなスロットマシンでは、ＬＥＤを支持して点灯させるＬＥＤ基板が複数設けられている。また、ＬＥＤ基板の他に、液晶ディスプレイ、スピーカ等が配置されている。また、スロットマシンによっては、前面側にモータ等のアクチュエータで駆動される可動役物が設けられている。したがって、スロットマシンの上扉では、多くの電子・電気機器やそれらを支持する部材等の部品が多数配置されており、上扉に空きスペースがほとんどない状態となっている。さらに、電子・電気機器の制御等のための信号線や、電子・電気機器への電力供給のための電力線等の配線が配置されている。また、スロットマシンにおいては、信号線や電力線に加えてアースのためのアース線が設けられる場合がある（例えば、特許文献１、２参照）。前扉の限られた空間に各種電子・電気機器やその他の部品や、各種配線を配設するためには、効率的なスペース配分とするためのレイアウトを考える必要がある。
【先行技術文献】
【特許文献】
【０００４】
【特許文献１】特開２００５−７３８６２号公報
【特許文献２】特開２０１６−１４４５５２号公報
【発明の概要】
【発明が解決しようとする課題】
【０００５】
ところで、スロットマシンの上扉では、様々な配線が多数配置されることから、例えば、複数の配線が互いに近接して同じ方向に配置される場合がある。すなわち、複数の配線を効率的に配置する上では、各配線が互いに近接して略平行に配置される場合がある。但し、信号線とアース線とを互いに近接して比較的長い区間に渡って平行に配置するとアース線により信号線にノイズが発生する虞がある。なお、アース線と信号線が交差するような配置であればノイズの影響は少ない。したがって、アース線がある場合に信号線との配置を考慮して配線のレイアウトを考える必要があり、設計に手間がかかるともに、アース線の配置が設計の足かせとなる虞がある。
【０００６】
本発明は、前記事情に鑑みてなされたもので、アース線と信号線のレイアウトを容易にすることが可能な遊技機を提供することを目的とする。
【課題を解決するための手段】
【０００７】
前記目的を達成するために、本発明の遊技機は、各種電子部品に接続される信号線と、遊技者により帯電する虞がある導体に対応して設けられたアース線とを備える遊技機であって、
前記アース線のうちの少なくとも１つと前記信号線のうちの少なくとも１つとが互いに近接して略平行に配置され、互いに近接して略平行に配置される前記信号線と前記アース線との間に、遮蔽壁が設けられていることを特徴とする。
【０００８】
このような構成によれば、互いに近接して略平行に配置される前記信号線と前記アース線との間の遮蔽壁により、信号線側でノイズが発生するのを防止できる。したがって、遮蔽壁を設けることで、アース線と信号線とを近接して平行に配置できるので、信号線とアース線とのレイアウトを含む設計の自由度が高くなり、設計を容易にして設計のコストの低減を図ることができる。
【発明の効果】
【０００９】
本発明の遊技機によれば、アース線と信号線のレイアウトが容易になる。
【図面の簡単な説明】
【００１０】
【図１】本発明の実施の形態に係る遊技機の一例を示すもので、その斜視図である。
【図２】同、前扉の上部の正面の一部を示す正面図である。
【図３】同、前扉の上部の一部の内部を背面側から見た図である。
【図４】同、前扉に配置された装飾部材、モータ、隔壁部材を示す斜視図である。
【図５】同、装飾部材、モータ、隔壁部材を示す分解図である。
【発明を実施するための形態】
【００１１】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、その他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１２】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１３】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１４】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部中央には、表示窓３１の上方に表示窓３２が設けられている。この表示窓３２は上扉３０に設けられた液晶表示パネルを有する画像表示装置（ディスプレイ）の表示面を見るために設けられたものであり、この画像表示装置では、その表示面に遊技機における演出用の画像が表示されるようになっている。なお、画像表示装置は、演出用の画像を表示できるものであれば、液晶ディスプレイ以外のディスプレイであってもよい。
また、上扉３０の表示窓３２の上部および左右両側部には、報知や演出などを行うためのランプ３３ａ，３３ｂが設けられている。
【００１５】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００１６】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００１７】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００１８】
また、下扉４０の下部には、スロットマシンＭ内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ３３ｄが設けられている。
【００１９】
図２は、スロットマシンＭの上扉３０の前部を構成する装飾ユニットの角部を示す図であり、図３は、図２に示す部分の内部を背面側から見た図である。装飾ユニットは、上述の上部のランプ３３ａと、左右の側部のランプ３３ｂが表示窓３２を囲むように門形状に配置されたものである。上部のランプ３３ａは、その正面部分に配置された上部レンズユニットと、上部レンズユニットの背面に配置された上部ＬＥＤ基板９１と、上部レンズユニットの背面の左右側部に配置されてスピーカを有するスピーカ基板６２と、このスピーカ基板６２の正面部分に配置されたスピーカカバー６１とを有し、このような上部のランプ３３ａが上部意匠ユニットを構成している。
なお、図２および図３は、門形状の意匠ユニットの左右の角部のうちの一方の角部だけを図示している。
【００２０】
スピーカカバー６１は、スロットマシンＭの遊技者側に露出するパンチングメタルからなる。したがって、スピーカカバー６１は、帯電する可能性のある導体であり、例えば、遊技者の手が近接したり、接触したりした場合に帯電する。ここで、スピーカカバー６１とスピーカを有するスピーカ基板６２は近接しており、スピーカカバー６１が帯電した場合に、スピーカ基板６２も帯電する可能性が高い。基本的に帯電する導体に対して電子基板等を約２０ｍｍ以上離して配置することで、静電気（例えば、２万ボルトまでの静電気）の影響を回避する設計としているが、スペース状の問題やスピーカの音響と配置の関係で、スピーカカバー６１とスピーカ基板６２が２０ｍｍ以上離れておらず、スピーカカバー６１とスピーカ基板６２が２０ｍｍより短い距離まで近接している。
【００２１】
そこで、図３に示すように、スピーカカバー６１に近接するスピーカ基板６２が、帯電したスピーカカバー６１により帯電した場合に、速やかに静電気を逃がすためのアース線８２がスピーカ基板６２に接続されている。アース線８２は、一端がスピーカ基板６２にビス止めされた状態で上扉３０の意匠ユニットの側部のランプ３３ｂの背面側を上から下に向かいスロットマシンＭの外部に繋がるアース用の導体に接続されている。また、上扉３０の意匠ユニットの側部のランプ３３ｂの背面側には、上部のランプ３３ａの光源となる上部ＬＥＤ基板９１と、側部のランプ３３ｂの光源となる側部ＬＥＤ基板９２とを繋ぐように配線される信号線８１が設けられている。なお、図３においては、信号線８１の上部ＬＥＤ基板９１および側部ＬＥＤ基板９２とのコネクタの図示を省略している。また、上部のランプ３３ａには、その中央分部に、ロゴマークが設けられているが、このロゴマークおよびその近傍の表面には、蒸着やメッキ９により導体７１が設けられている。このメッキや蒸着等により形成された導体７１においては、人が触ろうとすることなどにより、帯電する。このロゴマークの導体７１は、スピーカ基板６２に対して２０ｍｍより短い距離しか離れていない分部があり、上述のようにスピーカ基板６２にアース線８２を接続する必要がある。すなわち、スピーカ基板６２は、導体であるスピーカカバー６１およびロゴマークの導体７１に近接しており、いずれか一方だけが近接する構造であってもスピーカ基板６２をアースする必要がある。
【００２２】
信号線８１は、上部のランプ３３ａ背面部分に設けられた上部ＬＥＤ基板９１から上扉の左右のうちの一方の角部に向かって略水平に配置された後に、一方の側部のランプ３３ｂの背面を下に向かって略垂直に配置されて、側部のランプ３３ｂの背面部分に設けられた側部ＬＥＤ基板９２に至るように配置される。
【００２３】
信号線８１は、上部ＬＥＤ基板９１と側部ＬＥＤ基板９２との間で、上部のランプ３３ａの背面部分に設けられたフック８３およびフック８４と、側部のランプ３３ｂの背面部分に設けられたフック８８とに係止されて保持された状態となっている。また、アース線８２は、側部のランプ３３ｂの背面部分に設けられたフック８５およびフック８８に係止されて保持された状態となっている。
以上のように配置されるアース線８２と、信号線８１とは、側部のランプ３３ｂの背面側で互いに近接するとともに略平行に配置されている。すなわち、アース線８２が信号線８１にノイズを発生させる可能性がある配置となっている。側部のランプ３３ｂの背面側には、信号線８１に対するアース線８２の影響を抑制するために、信号線８１とアース線８２を隔離する隔壁部材８９が設けられている。隔壁部材８９は、上下に長い矩形状のベース板８７の上下方向に沿う一方の側縁部で、ベース板８７に立設された隔壁（遮蔽壁）８６を備える。隔壁８６は、上述のように側部のランプ３３ｂの背面分部で、上下に延在するともに、互いに近接して平行な信号線８１と、アース線８２との間に配置されている。隔壁部材８９は、アース線８２と、信号線８１とは、導電性のシールドとなる隔壁８６により隔てられており、アース線８２の影響で信号線８１にノイズが発生するのを抑制するようになっている。また、隔壁部材８９は、アース線８２を保持するフック８５を備えている。なお、隔壁８６を有する隔壁部材８９は、例えば、樹脂製であるが、高いシールド性を有する導電性の板金、すなわち、導体である金属製の部品であっても良いし、導電性樹脂であってもよい。
【００２４】
したがって、アース線８２と、信号線８１とが隔壁８６により隔てられることにより、互いにシールドされた状態となるので、アース線８２と、信号線８１とを互いに近接して平行に配置するものとしてもノイズの発生を抑制することができるので、あえて信号線８１とアース線８２を互いに近接して平行な状態に配置することが可能となり、配線のレイアウトの自由度が高くなる。
また、アース線８２を保持するフックのうちのフック８５は、隔壁部材８９に設けられており、アース線８２を隔壁８６で仕切られる一方の空間に保持し、アース線８２が隔壁８６に対して信号線８１と同じ側の空間に配置されてしまうのを抑制している。なお、隔壁部材８９に、信号線８１を隔壁８６に仕切られた二つの空間のうちのアース線８２が配置されてない空間側で、保持するフックを設けてもよい。
【００２５】
このような遊技機にあっては、信号線とアース線とを互いに近接して平行とするような配線レイアウトを行っても、隔壁８６をアース線８２と信号線８１との間に配置することで、信号線８１におけるノイズの発生を防止できる。したがって、信号線８１とアース線８２との配線レイアウトにおいて、これらを近接して平行に配置するレイアウトも許容されるので、レイアウトの自由度が高くなり、設計が容易となる。なお、隔壁８６は、アース線８２と信号線８１とが略平行に配置された状態で、アース線８２が配置される空間と、信号線８１が配置される空間とを仕切れる形状となっていればよく、例えば、リブ状や壁状となっていればよい。
【００２６】
また、上述の信号線８１およびアース線８２は、スロットマシンＭの左右で同じ配置となっており、隔壁８６を有する隔壁部材８９は、スロットマシンＭの左右に配置されている。図３に示す隔壁部材８９は、正面から見て右側に配置されている。図４、図５に、左側の隔壁部材８９を示す。左側の隔壁部材８９は、可動役物を作動させるモータ１００の近傍で前側（遊技者側）に配置されている。また、隔壁部材８９の前側には、側部のランプ３３ｂの金属が蒸着された装飾部材１１０が配置されている。モータ１００には、モータ１００を駆動制御する駆動制御装置からのハーネスが接続されるコネクタ１０１が設けられている。また、モータ１００は、減速機が内蔵された減速機付きモータであり、出力軸１０２が、モータ１００の図示しない回転軸に対して偏心している。したがって、スロットマシンＭの左右に同じ向きで一対のモータ１００を配置すると、本実施の形態では、出力軸１０２に対して本体が右よりに配置される。これにより、本実施例では、右のモータ１００より左のモータ１００のコネクタ１０１が、金属が蒸着された装飾部材１１０の近くに配置される。この場合に、遊技者から装飾部材１１０に静電気が流れた際に、静電気が装飾部材１１０からモータ１００のコネクタ１０１のハーネスに飛んで、ハーネスが接続されたモータ１００の駆動制御装置に不具合を起こす虞がある。そこで、左側の隔壁部材８９には、モータ１００のコネクタ１０１のハーネス側と金属が蒸着された装飾部材１１０との間に突出部１１５が配置されるように設けられおり、この突出部１１５がコネクタ１０１に接続されたハーネスと装飾部材１１０との間をシールドするとともに、ハーネスが装飾部材１１０に近づくのを防止している。なお、右側の隔壁部材８９においては、左側よりモータ１００のコネクタ１０１と装飾部材１１０の距離が長いので、突出部１１５を必ずしも必要としないが、右の隔壁部材８９には、左より小さな突出部９３（図３に図示）が設けられている。
【符号の説明】
【００２７】
６１    スピーカカバー（帯電する虞がある導体）
６２    スピーカ基板（アースされる電子部品）
８１    信号線
８２    アース線
８６    隔壁（遮蔽壁）
９１    上部ＬＥＤ基板（電子部品）
９２    側部ＬＥＤ基板（電子部品）
【図１】
2018183470.tif 000003
【図２】
2018183470.tif 000004
【図３】
2018183470.tif 000005
【図４】
2018183470.tif 000006
【図５】
2018183470.tif 000007